(57)【要約】【課題】操作デバイスを用いた操作性に優れたタッチパネル用の操作装置でありながら、汎用性の高い操作装置を提供する。【解決手段】本発明によれば、操作デバイスである操作部３０を備えた操作装置５０をタッチパネル２２の入力操作領域に載置することで、操作装置５０と入力操作領域への入力操作とを関連付けることができる。これにより、他のプログラム１０の入力操作を操作性の高い操作デバイスを用いて高精度に行うことができる。また、操作装置５０を載置する入力操作領域を変えることで、操作装置５０に関連付ける入力操作を変更することができる。このため、操作装置５０の操作対象、操作内容の自由度が高く、広い汎用性を有している。【選択図】図１
2014006572.tif 000002
【特許請求の範囲】
【請求項１】
タッチパネルを備えた電子機器の操作方法であって、
前記タッチパネルを介して操作可能な他のプログラムが動作している状態で、
前記タッチパネルへの入力情報を取得するステップと、
前記入力情報から得られる識別情報が、予め設定されている装置識別情報と一致するか否かを判別するステップと、
前記識別情報と前記装置識別情報とが一致した場合、前記識別情報に対応する操作装置と前記入力情報に対応する前記他のプログラムの入力操作とを関連付けるステップと、
前記操作装置からの操作情報に基づいて前記入力操作に対する操作指示を前記他のプログラム側に出力するステップと、
を有することを特徴とする電子機器の操作方法。
【請求項２】
タッチパネルを備えた電子機器に対する操作プログラムであって、
前記タッチパネルを介して操作可能な他のプログラムが動作している状態で、
前記タッチパネルへの入力情報を取得する手順と、
前記入力情報から得られる識別情報が、予め設定されている装置識別情報と一致するか否かを判別する手順と、
前記識別情報と前記装置識別情報とが一致した場合、前記識別情報に対応する操作装置と前記入力情報に対応する前記他のプログラムの入力操作とを関連付ける手順と、
前記操作装置からの操作情報に基づいて前記入力操作に対する操作指示を前記他のプログラム側に出力する手順と、
を有することを特徴とする操作プログラム。
【請求項３】
タッチパネルを介して操作可能な他のプログラムを有する電子機器の操作装置であって、
前記電子機器側に記録された請求項２記載の操作プログラムと、
ユーザが操作する操作部と、
前記操作部の操作情報を前記電子機器側に出力するデータ出力手段と、
操作装置の特定に用いる識別情報を前記電子機器側に出力する識別情報出力手段と、を有することを特徴とする操作装置。
【請求項４】
識別情報出力手段が、
操作装置のケーシングに設置された導電部と、前記導電部と電気的に接続し且つ特定のパターンで配置された導電脚部と、を有し、
ユーザが前記導電部に触れることで前記導電脚部がユーザ電位となり、この状態で前記導電脚部をタッチパネルに接触させることで、前記導電脚部の配置パターンを識別情報として電子機器側に出力することを特徴とする請求項３記載の操作装置。
【発明の詳細な説明】
【技術分野】
【０００１】
本発明は、タッチパネルによる入力操作が可能な電子機器の操作方法、操作プログラム及び操作装置に関するものである。
【背景技術】
【０００２】
近年、携帯通信機器やタブレット型端末、ＡＶ機器、車載用電気機器、産業用機械機器等、様々な分野の電子機器において、入力手段にタッチパネルを採用した製品が多く商品化されている。このタッチパネルは画面に表示された操作表示をユーザが直接触れることで電子機器に対する入力操作を行うことができる。そして、このタッチパネルの操作表示を適宜変えることで多岐に亘る汎用性の高い入力操作を行うことができる。しかしながら、タッチパネルによる入力操作は視覚に依存するため、操作の実感が乏しく細かな入力操作には不向きであるという問題点がある。
【０００３】
一方、スイッチやボリューム等の従来の操作デバイスは、ユーザが実際に手指で動かし触覚を頼りに入力操作を行うことができる。このため、タッチパネルよりも操作性が高く細かな入力操作が可能である。この操作デバイスの利点をタッチパネルに活用するため、下記［特許文献１］では、タッチパネルに表示されたソフトウェアキーボード上に操作デバイスとしてのキーボード入力補助部を設置してキー入力を行う発明が開示されている。
【先行技術文献】
【特許文献】
【０００４】
【特許文献１】特開平６−３３２６０２号公報
【発明の概要】
【発明が解決しようとする課題】
【０００５】
しかしながら、操作デバイスによる操作はその操作対象、操作内容が限定され汎用性に乏しいという問題点がある。例えば［特許文献１］のキーボード入力補助部は特定のキー配列のソフトウェアキーボードにしか用いることができず、その適用範囲は極めて限定的である。
【０００６】
本発明は上記事情に鑑みてなされたものであり、操作デバイスを用いた操作性に優れたタッチパネル用の操作装置でありながら、汎用性の高い操作装置を提供することを目的とする。また、この操作装置を用いた電子機器の操作方法、及び操作プログラムを提供することを目的とする。
【課題を解決するための手段】
【０００７】
本発明は、
（１）タッチパネル２２を備えた電子機器２０の操作方法であって、前記タッチパネル２２を介して操作可能な他のプログラム１０が動作している状態で、
前記タッチパネル２２への入力情報を取得するステップと、
前記入力情報から得られる識別情報が、予め設定されている装置識別情報と一致するか否かを判別するステップと、
前記識別情報と前記装置識別情報とが一致した場合、前記識別情報に対応する操作装置５０と前記入力情報に対応する前記他のプログラム１０の入力操作とを関連付けるステップと、
前記操作装置５０からの操作情報に基づいて前記入力操作に対する操作指示を前記他のプログラム１０側に出力するステップと、
を有することを特徴とする電子機器の操作方法を提供することにより、上記課題を解決する。
（２）タッチパネル２２を備えた電子機器２０に対する操作プログラムであって、前記タッチパネル２２を介して操作可能な他のプログラム１０が動作している状態で、
前記タッチパネル２２への入力情報を取得する手順と、
前記入力情報から得られる識別情報が、予め設定されている装置識別情報と一致するか否かを判別する手順と、
前記識別情報と前記装置識別情報とが一致した場合、前記識別情報に対応する操作装置５０と前記入力情報に対応する前記他のプログラム１０の入力操作とを関連付ける手順と、
前記操作装置５０からの操作情報に基づいて前記入力操作に対する操作指示を前記他のプログラム１０側に出力する手順と、
を有することを特徴とする操作プログラム３８を提供することにより、上記課題を解決する。
（３）タッチパネル２２を介して操作可能な他のプログラム１０を有する電子機器２０の操作装置であって、
前記電子機器２０側に記録された上記（２）記載の操作プログラム３８と、ユーザが操作する操作部３０と、前記操作部３０の操作情報を前記電子機器２０側に出力するデータ出力手段３２と、操作装置５０の特定に用いる識別情報を前記電子機器２０側に出力する識別情報出力手段３４と、を有することを特徴とする操作装置５０を提供することにより、上記課題を解決する。
（４）識別情報出力手段３４が、操作装置５０のケーシング４０に設置された導電部４２と、前記導電部４２と電気的に接続し且つ特定のパターンで配置された導電脚部４４と、を有し、
ユーザが前記導電部４２に触れることで前記導電脚部４４がユーザ電位となり、この状態で前記導電脚部４４をタッチパネル２２に接触させることで、前記導電脚部４４の配置パターンを識別情報として電子機器２０側に出力することを特徴とする上記（３）記載の操作装置５０を提供することにより、上記課題を解決する。
【発明の効果】
【０００８】
本発明によれば、操作デバイスによる入力操作をタッチパネル上の様々な入力操作に対して行うことができる。
【図面の簡単な説明】
【０００９】
【図１】本発明に係る操作装置のブロック図である。
【図２】本発明に係る操作装置の例を示す図である。
【図３】操作画面の例を示す図である。
【図４】本発明に係る電子機器の操作方法、操作プログラム及び操作装置の動作を説明するフローチャートである。
【発明を実施するための形態】
【００１０】
本発明に係る電子機器の操作方法、操作プログラム及び操作装置について図面に基づいて説明する。図１に示す本発明に係る操作装置５０は、タッチパネル２２を備えた電子機器２０に対する入力操作装置であり、ユーザが操作する操作部３０と、操作部３０の操作情報を電子機器２０側に出力するデータ出力手段３２と、操作装置５０の特定に用いる識別情報を電子機器２０側に出力する識別情報出力手段３４と、これら操作装置５０の動作を制御する制御部３６と、を有している。
【００１１】
操作装置５０の操作部３０は、図２に示すように、可変抵抗器やスイッチ、スライダクス等の周知の操作デバイスが用いられる。尚、図２（ａ）に示す操作装置５０ａは、操作部３０にロータリ型の可変抵抗器を用いた例である。また、図２（ｂ）に示す操作装置５０ｂは、操作部３０にプッシュスイッチを用いた例である。
【００１２】
また、入力操作の行われる電子機器２０は、画面表示を行うとともにパネル面への接触を感知出力するタッチパネル２２と、タッチパネル２２への接触を入力情報として処理部２６に出力する入力情報処理部２４と、各プログラムを実行するとともに電子機器２０の各部を制御する処理部２６と、処理部２６の指示によりタッチパネル２２の表示画面を制御する画像処理部１２と、処理部２６の指示によりスピーカ等の出力デバイス１６を制御するデバイス制御部１４と、他のプログラム１０及び操作プログラム３８を含む電子データが記録される記録部１８と、を有している。尚、図１においては処理部２６内に他のプログラム１０及び操作プログラム３８を図示したが、これは他のプログラム１０及び操作プログラム３８の実行を意味し、実際は記録部１８から適宜プログラムが読み出されて実行される。
【００１３】
次に、本発明に係る電子機器の操作方法、操作プログラム３８及び操作装置５０の動作を図３及び図４のフローチャートを用いて説明する。尚ここでは、操作装置５０と電子機器２０との間の操作情報の伝達を無線通信を用いて行う例を示す。よって、操作装置５０のデータ出力手段３２は無線送信手段を備え、また電子機器２０は無線によるデータの送受信が可能な無線通信手段２８を備えている。
【００１４】
先ず、電子機器２０の処理部２６が他のプログラム１０を起動する。ここで、他のプログラム１０とはタッチパネル２２を介して操作する１つ以上の入力操作を有するプログラムであり、各種アプリケーションプログラムもしくはＯＳプログラムである。ここでは他のプログラム１０として、音声データに対して所定のエフェクトを加える電子イコライザプログラムを例として用いる。
【００１５】
他のプログラム１０（電子イコライザプログラム）が起動すると、処理部２６は画像処理部１２を介して、例えば図３に示すような操作画面をタッチパネル２２に表示させる。ここで、図３の操作画面には、他のプログラム１０へ入力操作を行うための複数の入力操作領域６６、６８が設定されている。そして、入力操作領域６６内には操作表示であるボリューム表示６４がそれぞれ表示されている。また、入力操作領域６８内には操作表示であるミュートボタン表示６２がそれぞれ表示されている。
【００１６】
ここで他のプログラム１０の動作を簡単に説明する。例えばユーザが手指もしくは操作具等でタッチパネル２２上に表示された特定の音域のボリューム表示６４ａに触れ、これをスライドさせる入力操作を行った場合、入力情報処理部２４はこの入力操作を入力情報に変換して処理部２６に出力する。処理部２６はこの入力情報からボリューム表示６４ａの表示された入力操作領域６６ａに対して入力操作が行われたことを認識する。そして、処理部２６はデバイス制御部１４を介して再生中の音楽データにおける入力操作領域６６ａと対応する音域の音量を入力情報に応じて変化させる。また、画像処理部１２を介してボリューム表示６４ａのツマミ表示が入力操作とともに移動する表示をタッチパネル２２に行わせる。
【００１７】
また、ユーザがミュートボタン表示６２ａに対する例えばタップ（短時間の接触操作）等の入力操作を行うと、入力情報処理部２４はこの入力操作の入力情報を処理部２６に出力する。処理部２６はこの入力情報からミュートボタン表示６２ａの表示された入力操作領域６８ａに対して入力操作が行われたことを認識する。そして、処理部２６はデバイス制御部１４を介して入力操作領域６８ａと対応する音域の音量をミュートする。また、画像処理部１２を介してミュートボタン表示６２ａをミュート表示とする。
【００１８】
次に、処理部２６が操作プログラム３８を起動する（ステップＳ１００）。この操作プログラム３８の起動は、ユーザがタッチパネル２２等を操作して起動指示を行っても良いし、処理部２６がスタートアップで自動的に起動するようにしても良い。次に、操作プログラム３８はタッチパネル２２に対する入力操作が行われるまで待機する（ステップＳ１０２）。また、入力操作の待機中に所定の終了操作が行われた場合（ステップＳ３００  Ｙｅｓ）、処理部２６は操作プログラム３８を終了する（ステップＳ３２０）。尚、操作プログラム３８はタッチパネル２２に対する入力操作にのみ関与するため、他のプログラム１０は操作プログラム３８の動作とは無関係に所定の動作を継続して行う。
【００１９】
次に、ユーザが例えば操作装置５０ａをタッチパネル２２の入力操作領域６６ｂに載置する。入力情報処理部２４はこの入力操作（操作装置５０ａの載置）の入力情報を処理部２６に出力する。尚、操作装置５０が載置された時の入力情報は操作装置５０を認識特定するための識別情報を有している。
【００２０】
処理部２６に入力情報が入力すると、操作プログラム３８側がこの入力情報を取得する（ステップＳ１０３）。尚、操作プログラム３８の起動中はタッチパネル２２への入力情報は全て操作プログラム３８側が取得し、他のプログラム１０側に直接伝達することはない。
【００２１】
次に、操作プログラム３８は入力情報から識別情報を取得する。そして、取得した識別情報が予め操作プログラム３８内に記録されている装置識別情報と一致するか否かを判別する（ステップＳ１０４）。また、入力情報から識別情報が取得できない場合、もしくは、識別情報と装置識別情報とが一致しない場合（ステップＳ１０４  Ｎｏ）、操作プログラム３８はこの入力操作を操作装置５０以外のものによる入力操作として認識し、入力情報をそのまま他のプログラム１０側に出力する（ステップＳ１０５）。これにより、他のプログラム１０は前述の手指もしくは操作具による入力操作と同様の動作を処理部２６を介して電子機器２０の各部に行わせる。
【００２２】
ここで、操作装置５０の識別情報に関して説明を行う。操作装置５０の識別情報としては、例えば操作装置５０をタッチパネル２２に載置した時の接触面積や接触パターン、接触部の形状等を、単独、もしくは組み合わせて用いることができる。この場合、操作装置５０をタッチパネル２２に載置した時の入力情報が識別情報を兼ねることとなる。また、電子機器２０が操作具のＩＤを認識する構成を備えている場合には、操作装置５０にこの操作具のＩＤに準拠したＩＤを付与し、このＩＤを識別情報とするようにしても良い。ただしこの構成では操作装置５０及び操作プログラム３８が特定の電子機器２０に限定されるため、識別情報としては汎用性の高い操作装置５０の接触パターンを用いることが好ましい。
【００２３】
ここで、接触パターンを識別情報とする操作装置５０の好適な一例を図２を用いて説明する。尚、図２に示す操作装置５０は、多点入力が可能な静電容量型のタッチパネル２２に好適なものである。ただし、タッチパネル２２に触れる脚部の接触パターンが判別可能であれば、これ以外の方式のタッチパネル２２に適用しても良い。
【００２４】
図２に示す操作装置５０ａ、５０ｂの識別情報出力手段３４は、操作装置５０ａ、５０ｂのケーシング４０に設置された導電部４２と、導電部４２と電気的に接続した導電脚部４４と、を有している。導電部４２の設置個所に特に限定はないが、ユーザが操作装置５０を持った時に触れる部位とすることが好ましく、よって、導電部４２はケーシング４０の側面や稜線、ケーシング４０の上側の４つのコーナ部等に設けることが好ましい。また、導電部４２をケーシング４０の全面に設けても良い。
【００２５】
また、操作装置５０ａ、５０ｂは導電脚部４４の他に導電部４２とは絶縁した絶縁脚部４６を有している。そして、導電脚部４４と絶縁脚部４６との配置パターンが操作装置５０の接触パターン、即ち操作装置５０の識別情報となる。例えば、図２の操作装置５０ａでは導電脚部４４が横に２本並び、他の２本が絶縁脚部４６となっている。また、操作装置５０ｂでは、導電脚部４４が斜めに２本並び、他の２本が絶縁脚部４６となっている。尚、図２では脚部を４本としたが、脚部を４本以上（例えば５本、６本、７本、９本）とすれば、導電脚部４４の数や遠近の違いにより導電脚部４４と絶縁脚部４６との配置パターンの組み合わせを増やすことができる。これにより、多数の操作装置５０に対して固有の識別情報（配置パターン）を付与することが可能となる。
【００２６】
操作装置５０ａ、５０ｂの識別情報の伝達は以下のようにして行う。先ず、ユーザが操作装置５０を載置する際、ユーザの手指は導電部４２と接触する。これにより、導電部４２及び導電脚部４４はユーザ電位となる。この状態で操作装置５０をタッチパネル２２上に載置すると、電位の異なる導電脚部４４と絶縁脚部４６とがタッチパネル２２に接触する。タッチパネル２２の入力情報処理部２４は例えばユーザ電位の導電脚部４４の入力情報のみを処理部２６に出力する。処理部２６（操作プログラム３８）はこの複数の導電脚部４４の入力情報から導電脚部４４の配置パターンを取得し、この配置パターンを識別情報として認識する。そして、この識別情報と予め記録されている装置識別情報とを照合し、タッチパネル２２上に載置されたものが操作装置５０であるか否かを判別する（ステップＳ１０４）。上記のようにして取得した識別情報が装置識別情報と一致する場合（ステップＳ１０４  Ｙｅｓ）、操作プログラム３８はこの識別情報（装置識別情報）に基づいてタッチパネル２２上に載置された操作装置５０を特定する（ステップＳ１１０）。ここでは、操作装置５０をロータリ型の可変抵抗器の操作装置５０ａとして特定する。
【００２７】
またこの時、特定した操作装置５０が実際に使用されているか否かを確認するステップを設けても良い。この確認ステップとしては、例えば無線通信を用いて特定した操作装置５０の導電部４２が実際にユーザ電位であるか否かを確認する手法等が挙げられる。この構成によればユーザの手指等による入力操作が偶然、操作装置５０の配置パターンと一致した場合でも操作プログラム３８の誤動作を防止することができる。
【００２８】
操作装置５０ａが特定されると、処理部２６（操作プログラム３８）は操作装置５０ａと関連付ける入力操作を特定する。ここでは、操作装置５０ａの載置された位置を入力情報から確認し、操作装置５０ａが入力操作領域６６ｂ内に載置されたことを認識する。そして、操作プログラム３８は操作装置５０ａと入力操作領域６６ｂへの入力操作とを関連付ける（ステップＳ１１４）。そして、操作装置５０ａから操作情報が入力するまで待機する（ステップＳ１１６）。
【００２９】
次に、ユーザが操作装置５０ａの操作部３０を操作する。操作部３０が操作されると、操作装置５０ａの制御部３６は操作部３０の抵抗値の変化を操作情報に変換し、データ出力手段３２を介して無線送信する。
【００３０】
電子機器２０の無線通信手段２８は操作装置５０ａからの操作情報を受信して処理部２６に出力する。処理部２６（操作プログラム３８）は操作情報が入力すると（ステップＳ１１６  Ｙｅｓ）、この操作情報をあたかもユーザがタッチパネル２２のボリューム表示６４ｂに触れこれをスライドさせたような入力情報に変換する。尚、操作情報を変換して生成した入力情報を本願では操作指示と記述し、タッチパネル２２からの入力情報と区別する。そして、処理部２６（操作プログラム３８）は生成された操作指示を他のプログラム１０側に伝達する（ステップＳ１１８）。
【００３１】
これにより、他のプログラム１０は操作指示に基づいて、再生中の音楽データの入力操作領域６６ｂと対応する音域の音量を操作指示に応じて変化させるとともに、ボリューム表示６４ｂのツマミ表示を移動させる。
【００３２】
尚、関連付けに対するリセット操作が行われると（ステップＳ１２０  Ｙｅｓ）、処理部２６（操作プログラム３８）は操作装置５０ａと入力操作領域６６ｂとの関連付けを解除する（ステップＳ１２２）。そして、ステップＳ１０２に帰還する。
【００３３】
また、操作装置５０ｂをミュートボタン表示６２ａの表示された入力操作領域６８ａに載置すると、操作プログラム３８は前述と同様の手順に沿って操作装置５０ｂと入力操作領域６８ａとを関連付ける。そして、操作装置５０ｂの操作部３０の押下により入力操作領域６８ａと対応するミュートのＯＮ／ＯＦＦ操作が行われる。
【００３４】
尚、関連付けに対するリセット操作としては、例えばユーザが操作装置５０を手から離した動作や、タッチパネル２２に対する操作装置５０以外の操作具による入力操作、または操作装置５０に設置されたリセットボタンの押下等の特別な操作が挙げられる。ここで、ユーザが手から離す動作を操作装置５０のリセット操作とする例を以下に説明する。先ず、図２に示す操作装置５０ａ、５０ｂは、片方の手で操作装置５０ａ、５０ｂをタッチパネル２２に載置した状態で、もう片方の手を使って操作部３０を操作する構成となっている。よって、操作装置５０ａ、５０ｂの操作中は導電部４２及び導電脚部４４が常にユーザ電位となる。前述のように操作プログラム３８はこの導電脚部４４の配置パターンを識別情報として認識し、操作装置５０の特定と関連付けを行う。ここで、ユーザが操作部３０に対する操作を止め、操作装置５０から手を離す。これにより、導電部４２及び導電脚部４４は絶縁電位となる。この場合、操作プログラム３８は識別情報を取得できず操作装置５０の認識ができなくなる。これにより、操作装置５０の関連付けが解除される。この構成によれば、ユーザが操作装置５０を操作する度に識別情報の取得と特定及び関連付が必要となるものの、操作プログラム３８の構成を単純化することができる。
【００３５】
また、特別な操作をリセット操作とする構成では、操作装置５０をタッチパネル２２から離しても関連付けが維持される。よって、操作装置５０を電子機器２０から離して手元に置いた状態で他のプログラム１０への入力操作を行うことができる。また、この構成では複数の操作装置５０を同時に使用することができる。例えば、識別情報の異なる操作装置５０ａをそれぞれ異なる入力操作と関連付けて同時に使用することができる。
【００３６】
また、操作装置５０には操作部３０の値を維持する例えばホールドボタンを設けても良い。このホールドボタンの使用例としては、例えば操作部３０の値を他のプログラム１０の別の入力操作にコピーするときに、ホールドボタンを押下した状態で操作装置５０を別の入力操作と関連付ける。これにより、新たに関連付けられた入力操作に先の入力操作でホールドされた値がコピーされる。
【００３７】
また、上記の例では他のプログラム１０として電子イコライザプログラムを用いた。これ以外の他のプログラム１０としては、例えば各素子の値等をタッチパネル２２への入力操作で変えることが可能な回路シミュレータが挙げられる。本願発明をこの回路シミュレータに適用した場合、例えば回路表示の可変抵抗器やスイッチ、各素子の値等と操作装置５０とを関連付け、これらの値を操作装置５０を用いて変化させることができる。
【００３８】
また、本願発明は楽器パートの移動や音量をタッチパネル２２への入力操作で変えることが可能なオーケストラシミュレータに適用することも可能である。この場合、例えば楽器パート表示上に操作装置５０を載置して関連付け、この楽器パートの音量を操作装置５０を用いて変化させることができる。また、操作装置５０自体のタッチパネル２２上の移動をタッチパネル２２への通常の入力操作として処理する構成とすれば、関連付けた楽器パートの移動を操作装置５０のタッチパネル２２上の移動で行うことができる。
【００３９】
また、本願発明は照明設備や音響設備の移動、方向、照度、音量等をタッチパネル２２への入力操作で変えることが可能な舞台装置制御プログラムもしくは舞台装置制御シミュレータに適用することも可能である。この場合、オーケストラシミュレータへの適用例と同様、関連付けた照明設備もしくは音響設備の照度もしくは音量を操作部３０の操作で行い、関連付けた照明設備もしくは音響設備の移動を操作装置５０のタッチパネル２２上での移動で行うことができる。また、例えば配置パターンの角度の変化を操作装置５０の回転として認識可能とし、これを第２の操作情報として出力可能な構成とすれば、関連付けた照明設備や音響設備の方向を操作装置５０の回転により変化させることができる。
【００４０】
また、携帯電話端末などの比較的小型のタッチパネル２２を備えた電子機器２０では、ゲームやメディアプレーヤ、その他のアプリケーションプログラムの操作性を操作装置５０により向上させることができる。
【００４１】
また、本願発明を例えば描画プログラムに適用した場合、例えば３色ボールペンのように操作部３０を複数備えたペンタブレット型の操作装置５０を用い、この操作装置５０の各操作部３０に色や消しゴム機能を関連付けるようにしても良い。この構成によれば、１つの操作装置５０で複数の入力操作を操作部３０を切替えて行うことができる。
【００４２】
また、複数のユーザに識別情報の異なる操作装置５０を割り振り、操作プログラム３８が各操作装置５０の操作履歴を記録する構成とすれば、操作装置５０を用いて誰がいつどのような入力操作を行ったかを記録することができる。この構成は大型のタッチパネル２２を備え複数のユーザが同時に入力操作を行うことが可能な大規模施設等の制御機器に好適である。
【００４３】
また、他のプログラム１０側に操作プログラム３８と連動するプログラムを設けて、例えば操作装置５０をタッチパネル２２上に載置した場合に、その位置に入力操作領域と所定の操作表示とを表示設定するようにしても良い。また、操作装置５０がタッチパネル２２上に載置された時のみ、入力操作を可能とするようにして、操作装置５０に簡易的なセキュリティ機能を付与しても良い。
【００４４】
以上のように、本発明に係る電子機器の操作方法、操作プログラム、及び操作装置５０によれば、操作デバイスである操作部３０を備えた操作装置５０をタッチパネル２２の入力操作領域に載置することで、操作装置５０と入力操作領域への入力操作とを関連付けることができる。これにより、他のプログラム１０の入力操作を操作性の高い操作デバイスを用いて高精度に行うことができる。また、操作装置５０を載置する入力操作領域を変えることで、操作装置５０に関連付ける入力操作を変更することができる。このため、操作装置５０の操作対象、操作内容の自由度が高く、広い汎用性を有している。
【００４５】
尚、本発明は電子機器２０のコンピュータ（処理部２６）に上記の入力操作を実現させるためのプログラムを含むものである。これらのプログラムは、ＣＤ−ＲＯＭ等の他の記録媒体から読み取って電子機器２０に取り込んでも良いし、通信ネットワークを介した伝送により電子機器２０に取り込んでも良い。
【００４６】
また、上記の例は本発明の具体的な一例であるから、フローチャートの内容、操作装置５０の構成、動作等はこれに限定されるものではなく、本発明は本発明の要旨を逸脱しない範囲で変更して実施することが可能である。
【符号の説明】
【００４７】
１０    他のプログラム
２０    電子機器
２２    タッチパネル
３０    操作部
３２    データ出力手段
３４    識別情報出力手段
３８    操作プログラム
４０    ケーシング
４２    導電部
４４    導電脚部
５０    操作装置
【図１】
2014006572.tif 000003
【図２】
2014006572.tif 000004
【図３】
2014006572.tif 000005
【図４】
2014006572.tif 000006